(57)【要約】      （修正有）【課題】連動装置扱い者が一括して手回しハンドルを管理することで、連動装置扱い者、現場保守員の人為的過失による事故を減らし、現場保守員の安全性を高めるシステムを提供する。【解決手段】鉄道保守システムは、転てつ器を転換するときに使用する手回しハンドル１０５を保管する保管装置１０２と、前記手回しハンドルの取り出しを要求する取り出し要求を入力する取り出し要求入力装置を備え、取り出し要求入力装置より取り出し要求が入力されたとき、保管装置から手回しハンドルの取り出しを可能にする。保管装置から手回しハンドルの取り出しを可能にしたとき、保管装置から手回しハンドルの取り出しを可能にしたことを表示する表示部を持つ。【選択図】図１
2018144574.tif 000002
【特許請求の範囲】
【請求項１】
転てつ器を転換するときに使用する手回しハンドルを保管する保管装置と、
前記手回しハンドルの取り出しを要求する取り出し要求を入力する取り出し要求入力装置を備え、前記取り出し要求入力装置より取り出し要求が入力されたとき前記保管装置から前記手回しハンドルの取り出しを可能にする鉄道保守システムにおいて、
前記保管装置から前記手回しハンドルの取り出しを可能にしたとき、前記保管装置から前記手回しハンドルの取り出しを可能にしたことを表示する表示部を持つことを特徴とする鉄道保守システム。
【請求項２】
請求項１に記載の鉄道保守システムであって、
前記保管装置から前記手回しハンドルの取り出しを不可能にしたとき、前記表示部は前記保管装置から前記手回しハンドルの取り出しを不可能にしたことを表示することを特徴とする鉄道保守システム。
【請求項３】
請求項１乃至請求項２のいずれか一つに記載の鉄道保守システムであって、
前記保管装置は前記手回しハンドルを保管している状態かそれ以外の状態かを示す情報である手回しハンドル保管状態を前記表示部に送信し、
前記表示部は前記手回しハンドル保管状態を表示することを特徴とする鉄道保守システム。
【請求項４】
請求項１乃至請求項３のいずれか一つに記載の鉄道保守システムであって、
前記取り出し要求が前記転てつ器の制御の指示と競合したときは、前記保管装置から前記手回しハンドルの取り出しを不可能にすることを特徴とする鉄道保守システム。
【発明の詳細な説明】
【技術分野】
【０００１】
本発明は、転てつ器手回しハンドルを保管する設備に関する。
【背景技術】
【０００２】
転てつ器を手動で転換するために使用される手回しハンドルを保管する設備(以下に、「手回しハンドル保管器」という。)は、従来物理的な鍵によって管理されており、連動装置扱い者が手回しハンドル保管器と手回しハンドルの状態を把握することは出来なかった。転てつ器は手回しハンドルを用いた転換時に電源断し、手回しハンドルの抜去により、電源が復旧するため、手回しハンドルの抜去による転てつ器の電源復旧時に連動装置から転てつ器が制御されると現場保守員の付近で転てつ器が動作し、現場保守員が転てつ器に挟まれる危険性がある。
【０００３】
作業員に不安を与えるおそれや、作業員を危険にさらすおそれを軽減させることができる制御システムが特許文献１に記載されている。この特許文献１には、「特に、制御部２９０は、操作入力部２２０の受け付ける保守作業員の入力操作に応じて、保守可能状態（安全措置を実施している状態）を維持するよう中央制御装置１００に要求するロック要求や、保守可能状態の維持を解除するよう中央制御装置１００に要求するロック解除要求を生成し、通信部２３０を介して中央制御装置１００に送信する。」と記載されている。
【先行技術文献】
【特許文献】
【０００４】
【特許文献１】特開２０１２−１４４１１３号公報
【発明の概要】
【発明が解決しようとする課題】
【０００５】
現場保守員の安全が確保された状況で転てつ器手回しハンドルを使用する必要がある。しかしながら、既存設備では手回しハンドル保管器の鍵は駅員によって管理されており、現場保守員へ鍵を手渡したあとは、手回しハンドル保管器と手回しハンドルの状態を連動装置扱い者が把握することが出来なかった。
【０００６】
特許文献１の技術により、現場保守員が手回しハンドル保管器の鍵を受け取ったときに現場保守員は保守可能状態を維持するように操作入力部に入力することが可能であるが、現場保守員が手回しハンドル保管器の鍵を受け取ったとき保守可能状態を維持するように操作入力部に入力することを失念した場合、現場保守員が危険に曝される可能性があった。
【０００７】
また、現場保守員による手回しハンドル扱いの終了による転てつ器の電源復旧と、連動装置扱い者による転てつ器制御が同時に起こると、現場保守員が路線にいる状態で転てつ器が動作し、現場保守員を危険に曝される可能性があった。  本発明は連動装置扱い者が一括して手回しハンドルを管理することで、連動装置扱い者、現場保守員の人為的過失による事故を減らし、現場保守員の安全性を高めるシステムを提供することを目的とする。
【課題を解決するための手段】
【０００８】
上記課題を解決するため、本発明の鉄道保守システムは、転てつ器を転換するときに使用する手回しハンドルを保管する保管装置と、前記手回しハンドルの取り出しを要求する取り出し要求を入力する取り出し要求入力装置を備え、前記取り出し要求入力装置より取り出し要求が入力されたとき前記保管装置から前記手回しハンドルの取り出しを可能にする鉄道保守システムにおいて、前記保管装置から前記手回しハンドルの取り出しを可能にしたとき、前記保管装置から前記手回しハンドルの取り出しを可能にしたことを表示する表示部を持つことを特徴とする。
【発明の効果】
【０００９】
本発明によれば、連動装置扱い者は、手回しハンドルが扱われていることの認識が容易になり、現場保守員の安全を高めることができる。
【００１０】
上記した以外の課題、構成及び効果は、以下の実施形態の説明により明らかにされる。
【図面の簡単な説明】
【００１１】
【図１】実施例１の一実施形態の例を示す図である。
【図２】解錠制御時の連動装置操作端末の処理の例を示すフローチャートである。
【図３】施錠制御時の連動装置操作端末の処理の例を示すフローチャートである。
【図４】実施例２の連動装置論理部を介した、一実施形態の例を示す図である。
【図５】連動装置論理部を介した、解錠制御時の連動装置操作端末の処理の例を示す、フローチャートである。
【図６】連動装置論理部を介した、解錠制御時の連動装置論理部の処理の例を示す、フローチャートである。
【図７】連動装置論理部を介した、施錠制御時の連動装置操作端末の処理の例を示す、フローチャートである。
【図８】連動装置論理部を介した、施錠制御時の連動装置論理部の処理の例を示す、フローチャートである。
【図９】連動装置論理部を介した、転てつ器制御時の連動装置論理部の例を処理を示す、フローチャートである。
【発明を実施するための形態】
【００１２】
本実施形態は連動装置操作端末から解錠・施錠制御を手回しハンドル保管器に送信する。連動装置操作端末からの解錠指示の受信により、手回しハンドル保管器は解錠する。手回しハンドル保管器が解錠することで現場保守員は手回しハンドル保管器を開け、手回しハンドルを取り出すことが出来る。また、手回しハンドル保管器は手回しハンドルの挿入状態を連動装置操作端末に送信し、連動装置操作端末に手回しハンドルの挿入・抜去状態を表示する。
【００１３】
また、手回しハンドル保管器の解錠・施錠制御を連動装置論理部で転てつ器の転換制御と連鎖させることで、転てつ器制御時に手回しハンドル保管器を施錠に固定する、もしくは手回しハンドル保管器解錠時に転てつ器に転換制御を制限することも可能である。
【００１４】
以下、本発明の実施例について図面を参照して説明する。
【００１５】
なお、これらの実施例は、本発明の実施形態の具体例を示すものであり、これらの実施例に限定されるものではなく、本明細書に開示される技術的思想の範囲内において当業者による様々な変更および修正が可能である。
【実施例１】
【００１６】
図１は、実施例１の一実施形態の例を示す図である。  連動装置操作端末101は、連動装置扱い者による操作を入力したり、連動装置扱い者への情報を表示する端末である。後述する手回しハンドル保管器102の解錠の指示（すなわち保管器錠部103の解錠の指示）を入力したり、手回しハンドル105の手回しハンドル保管器102への格納状態（挿入状態／抜去状態）及び保管器錠部103の施錠状態／解錠状態を表示することができる。また、図示していないが、転てつ器への転換制御を送信し、転てつ器の転換状態（定位・反位・ブラ）を表示することができる。
【００１７】
手回しハンドル保管器102は、手回しハンドル105を保管する装置である。手回しハンドル保管器102に手回しハンドル105を保管する場合は、格納用の穴に手回しハンドル105を挿入する。
【００１８】
保管器錠部103は、手回しハンドル保管器102を施錠し、手回しハンドル保管器102が保管している手回しハンドル105を物理的に取り出せないようにする装置である。手回しハンドル保管器102を施錠しているときは連動装置操作端末101に施錠状態を送信し、手回しハンドル保管器102を施錠していないときは解錠状態を送信する。
【００１９】
挿入状態検知部104は、手回しハンドル保管器102に手回しハンドル105が格納されているかどうか（手回しハンドル105が手回しハンドル保管器102に挿入状態か抜去状態か）を識別し、その情報を送信する装置である。
【００２０】
まず、保管器錠部103の解錠時について説明する。
【００２１】
連動装置操作端末101で保管器解錠の指示を入力すると手回しハンドル保管器102に解錠の指示が送信され、手回しハンドル保管器102は保管器錠部103に解錠させる。解錠した手回しハンドル保管器102から手回しハンドル105が取り出されると、挿入状態検知部104から連動装置操作端末101へ抜去状態の情報が送信され、連動装置操作端末101に手回しハンドル105の抜去状態が表示される。
【００２２】
図２は、解錠制御時の連動装置操作端末101の処理の例を示すフローチャートである。動作の主体は連動装置操作端末101である。
【００２３】
連動装置操作端末101で解錠の指示が入力されると、本処理を開始し(ステップ201)、ステップ202へ遷移する。
【００２４】
ステップ202: 保管器錠部103から施錠状態を受信しているかどうか判断する。施錠状態を受信しているとき（YES）ステップ203へ遷移し、施錠状態を受信していないとき（NO）ステップ204へ遷移する。
【００２５】
ステップ203:手回しハンドル保管器102に解錠の指示を送信し保管器錠部103の解錠状態を表示し、ステップ204へ遷移する。
【００２６】
ステップ204:本処理を終了する。
【００２７】
次に、手回しハンドル保管器施錠時について説明する。
【００２８】
本実施例では、図１に示すように、手回しハンドル105を手回しハンドル保管器102に挿入すると、挿入状態検知部104から連動装置操作端末101に挿入状態が送信され、連動装置操作端末101に手回しハンドル105の挿入状態が表示される。連動装置操作端末101から施錠の指示を手回しハンドル保管器102に送信すると、手回しハンドル保管器102は保管器錠部103に施錠させ、挿入状態検知部104から連動装置操作端末101へ施錠状態が送信される。連動装置操作端末101は、挿入状態検知部104から挿入状態を受信している場合のみ、手回しハンドル保管器102に施錠の指示を送信することができる。
【００２９】
図３は、施錠制御時の連動装置操作端末101の処理の例を示すフローチャートである。動作の主体は連動装置操作端末101である。
連動装置操作端末101で施錠の指示が入力されると、本処理を開始し(ステップ301)、ステップ302へ遷移する。
【００３０】
ステップ302:挿入状態検知部104から挿入状態を受信しているかどうか判断する。挿入状態を受信しているとき（YES）ステップ303へ遷移し、挿入状態を受信していないとき（NO）ステップ304へ遷移する。
【００３１】
ステップ303: 手回しハンドル保管器102に施錠の指示を送信し、保管器錠部103の施錠状態を表示し、ステップ304へ遷移する。
【００３２】
ステップ304:本処理を終了する。
【００３３】
本実施例により、連動装置扱い者に手回しハンドル105が手回しハンドル保管器102に格納されているか、保管器錠部103が施錠されているかを示すことができ、現場保守員が手回しハンドル105を持ち出しているかどうかを知らせることができ、現場保守員が路線にいる状態で転てつ器の転換制御を行うことを抑制することができる。
【実施例２】
【００３４】
次に、連動装置論理部を介して、制御を行う場合の実施例について説明する。
【００３５】
図４は、実施例２の連動装置論理部を介した、一実施形態の例を示す図である。  連動装置操作端末401は実施例１の連動装置操作端末101と同じである。
【００３６】
手回しハンドル保管器403は手回しハンドル保管器102と同じであり、保管器錠部103、挿入状態検知部104を備え、手回しハンドル105を保管する。
【００３７】
連動装置論理部402は、手回しハンドル保管器403及び転てつ器404を制御し、またこれらの状態（手回しハンドル保管器403の挿入状態・抜去状態・解錠状態・施錠状態、転てつ器404の転換状態（定位・反位・ブラ））を取得する装置である。これらの状態を連動装置操作端末401に送信して表示させる。
【００３８】
連動装置操作端末401で手回しハンドル保管器102の解錠を指示すると、連動装置論理部402に解錠の指示が送信され、転てつ器404へ転換の指示が行われていない場合のみ、手回しハンドル保管器403に解錠の指示が送信される。
【００３９】
図5は、連動装置論理部を介した、解錠制御時の連動装置操作端末401の処理の例を示す、フローチャートである。動作の主体は連動装置操作端末401である。
【００４０】
連動装置操作端末401で解錠の指示が入力されると、本処理を開始し(ステップ501)、ステップ502へ遷移する。
【００４１】
ステップ502:連動装置論理部402から手回しハンドル保管器403の施錠状態を受信しているか判断する。施錠状態を受信している場合（YES）ステップ503へ遷移し、施錠状態を受信していない場合（NO）ステップ504へ遷移する。
【００４２】
ステップ503:連動装置論理部402に解錠の指示を送信し、保管器錠部103の解錠状態を表示し、ステップ504へ遷移する。
【００４３】
ステップ504:本処理を終了する。
【００４４】
図6は、連動装置論理部を介した、解錠制御時の連動装置論理部の処理の例を示すフローチャートである。動作の主体は連動装置論理部402である。
【００４５】
連動装置操作端末401から解錠の指示が入力されると、本処理を開始し(ステップ601)、ステップ602へ遷移する。
【００４６】
ステップ602: 連動装置論理部402の処理で転てつ器404と競合しないかどうか判断する。競合しない場合（YES）ステップ603へ遷移し、競合する場合（NO）ステップ604へ遷移する。
【００４７】
ステップ603: 手回しハンドル保管器403に解錠の指示を送信しステップ604へ遷移する。
【００４８】
ステップ604:本処理を終了する。
【００４９】
図7は、連動装置論理部を介した、施錠制御時の連動装置操作端末401の処理の例を示すフローチャートである。動作の主体は連動装置操作端末401である。
【００５０】
連動装置操作端末401で施錠の指示が入力されると、本処理を開始し(ステップ701)、ステップ702へ遷移する。
【００５１】
ステップ702:連動装置論理部402から手回しハンドル保管器403の挿入状態を受信しているか判断する。挿入状態を受信している場合（YES）ステップ703へ遷移し、挿入状態を受信していない場合（NO）ステップ704へ遷移する。
【００５２】
ステップ703:連動装置論理部402に施錠の指示を送信し、保管器錠部103の施錠状態を表示し、ステップ704へ遷移する。
【００５３】
ステップ704:本処理を終了する。
【００５４】
図8は、連動装置論理部を介した、施錠制御時の連動装置論理部の処理の例を示すフローチャートである。動作の主体は連動装置論理部402である。
【００５５】
連動装置操作端末401から施錠の指示が入力されると、本処理を開始し(ステップ801)、ステップ802へ遷移する。
【００５６】
ステップ802: 手回しハンドル保管器403に施錠の指示を送信しステップ803へ遷移する。
【００５７】
ステップ803:本処理を終了する。
【００５８】
図9は、連動装置論理部を介した、転てつ器制御時の連動装置論理部の例を処理を示すフローチャートである。動作の主体は連動装置論理部402である。
【００５９】
連動装置操作端末401から転てつ器404の転換の指示が入力されると、本処理を開始し(ステップ901)、ステップ902へ遷移する。
【００６０】
ステップ902: 連動装置論理部402の処理で手回しハンドル保管器403と競合しないかどうか判断する。競合しない場合（YES）ステップ903へ遷移し、競合する場合（NO）ステップ904へ遷移する。
【００６１】
ステップ903: 転てつ器404に転換の指示を送信しステップ904へ遷移する。
【００６２】
ステップ904:本処理を終了する。
【００６３】
本実施例により、転てつ器404の制御が手回しハンドル保管器403の解錠と競合する場合は、手回しハンドル保管器403の解錠を制限することができ、現場保守員の安全を確保することができる。
【００６４】
以上において、本発明の実施例について説明した。以上の実施例は、本発明の実施形態の具体例を示すものであり、本発明はこれらの実施例に限定されるものではなく、本発明に開示される技術的思考の範囲内において当業者による様々な変更および修正が可能である。
【符号の説明】
【００６５】
101  連動装置操作端末 
102  手回しハンドル保管器
103  保管器錠部
104  挿入状態検知部
105  手回しハンドル
401  連動装置操作端末
402  連動装置論理部 
403  手回しハンドル保管器
404  転てつ器
【図１】
2018144574.tif 000003
【図２】
2018144574.tif 000004
【図３】
2018144574.tif 000005
【図４】
2018144574.tif 000006
【図５】
2018144574.tif 000007
【図６】
2018144574.tif 000008
【図７】
2018144574.tif 000009
【図８】
2018144574.tif 000010
【図９】
2018144574.tif 000011